(57)【特許請求の範囲】
【請求項１】
番組を録画する録画手段と、
前記録画手段により録画された番組毎の録画設定に関する録画番組情報を記憶する記憶部と、
前記録画手段により録画された番組を再生する再生手段と、
番組表情報を管理する番組表管理手段と、
前記再生手段による番組の再生が停止すると、前記番組表情報から前記再生が停止した番組の関連番組を検出する関連番組検出手段と、
前記関連番組検出手段によって検出された前記関連番組から、選択規則に基づいて録画予約候補番組を選択する選択手段と、
前記録画予約候補番組の録画を含むメニューを提示する操作支援画面を表示する支援画面表示手段と、
前記操作支援画面上で録画メニューが選択されると、前記再生が停止した番組の録画番組情報を前記記憶部から読み出し、該読み出した、再生が停止した番組の録画番組情報に基づいて前記録画予約候補番組の録画予約のための録画設定を行う録画予約設定手段と、
を備え、
前記録画番組情報は、番組を記録するフォルダ名を示す情報を具備し、
前記録画予約設定手段は、前記録画番組情報に基づいて、前記再生が停止した番組が記憶されているフォルダと同じフォルダに前記録画予約候補番組が録画されるように、録画設定を行う記録再生装置。
【請求項２】
前記録画番組情報は、番組を記録する録画品質を示す情報を具備し、
前記録画予約設定手段は、前記録画番組情報に基づいて、前記再生が停止した番組と同じ録画品質で、前記録画予約候補番組が録画されるように、録画設定を行う、請求項１に記載の記録再生装置。
【請求項３】
前記関連番組検出手段は、前記再生が停止した番組と同じ放送チャンネルの関連番組を、前記番組表情報から検出する、請求項１に記載の記録再生装置。
【請求項４】
前記録画手段により録画された番組の情報を記憶する録画番組情報記憶手段をさらに備え、
前記選択手段は、前記録画番組情報記憶手段に記憶された番組を除外して、前記録画予約候補番組を選択する、請求項１に記載の記録再生装置。
【請求項５】
前記選択手段は、前記再生が停止した番組の放送回以降で一番早い放送回の関連番組を優先して選択する請求項４に記載の記録再生装置。
【請求項６】
番組の録画履歴を記憶する録画履歴記憶手段をさらに備え、
前記選択手段は、前記録画履歴記憶手段に録画履歴が記憶されている番組を除外して、前記録画予約候補番組を選択する、請求項１に記載の記録再生装置。
【請求項７】
前記選択手段は、前記録画番組の放送回以降で一番早い放送回の関連番組を優先して選択する請求項６に記載の記録再生装置。
【請求項８】
前記選択手段は、前記再生が停止した番組と同じ放送時間帯に放送される関連番組を、前記録画予約候補番組として選択する、請求項１に記載の記録再生装置。
【請求項９】
前記選択手段は、前記関連番組のうち最も放送予定が早い番組を、前記録画予約候補番組として選択する、請求項１に記載の記録再生装置。
【請求項１０】
前記関連番組検出手段が前記所定の規則に従う関連番組を検出できず、前記選択手段が前記録画予約候補番組を選択できない場合には、前記操作支援画面は、前記録画予約候補番組の情報を含むメニュー項目を提示しない、請求項１に記載の記録再生装置。
【請求項１１】
番組の録画時に録画番組の録画設定に関する録画番組情報であって、番組を記録するフォルダ名を示す録画番組情報を記憶し、
録画番組を再生し、
録画番組の再生が停止すると、番組表情報から前記再生が停止した番組の関連番組を検出し、
前記検出された関連番組から、選択規則に基づいて録画予約候補番組を選択し、前記録画予約候補番組の録画を含むメニューを提示する操作支援画面を表示し、
前記操作支援画面上で、録画メニューが選択されると、前記再生が停止した番組の録画番組情報を読み出し、該読み出した、再生が停止した番組の録画番組情報を用いて、前記録画予約候補番組の録画予約のための録画設定であって、前記読み出した録画番組情報に基づいて、前記再生が停止した番組が記憶されているフォルダと同じフォルダに前記録画予約候補番組が録画されるような録画設定を行う録画予約設定方法。
【請求項１２】
前記録画番組情報は、番組を記録する録画品質を示す情報を具備し、
前記録画設定を行うことは、前記読み出した録画番組情報に基づいて、前記再生が停止した番組と同じ録画品質で、前記録画予約候補番組が録画されるように、録画設定を行う、請求項１１に記載の録画予約設定方法。
【発明の詳細な説明】
【技術分野】
【０００１】
本発明は、記録再生装置及び録画予約設定方法に関する。
【背景技術】
【０００２】
近年、受信した放送信号をデジタルデータに変換して、ハードディスクや光ディスク等の記憶媒体に記憶し、必要に応じて再生する情報記録再生装置が開発されている。このような情報記録再生装置では、放送信号から、あるいはネットワークから番組の放送予定データ（電子番組表データ）を取得し、利用することが可能である。
【０００３】
特許文献１には、情報記憶部に格納した今後放送予定のテレビジョン番組の番組情報から、再生済番組と同じシリーズの番組を抽出し、抽出されたシリーズ番組を「次回関連番組」としてその「放送日時」や「番組タイトル」といった内容を含む予約設定確認画面を生成してモニタに画面表示させる技術が記載されている。
【先行技術文献】
【特許文献】
【０００４】
【特許文献１】特開２００５−３２８４８５号公報（段落００３６、図２）
【発明の概要】
【発明が解決しようとする課題】
【０００５】
特許文献１に記載の技術では、再生済み番組のシリーズ番組の録画予約を行うか否かをユーザに確認させることが可能である。しかしながら、シリーズ番組の抽出を行う際に、再生済み番組の複数のシリーズ番組の番組情報が抽出されることもあり得る。特許文献１に記載の技術は、このように複数のシリーズ番組が抽出された場合には対応していない。
【０００６】
本発明は上述の課題を鑑みてなされたものであり、録画番組の関連番組を検出し、検出された関連番組から、所定の選択規則に基づいて予約候補番組を選択してユーザに提示する記録再生装置及び録画予約設定方法を提供することを目的とする。
【課題を解決するための手段】
【０００７】
本発明の記録再生装置は、番組を録画する録画手段と、前記録画手段により録画された番組毎の録画設定に関する録画番組情報を記憶する記憶部と、前記録画手段により録画された番組を再生する再生手段と、番組表情報を管理する番組表管理手段と、前記再生手段による番組の再生が停止すると、前記番組表情報から前記再生が停止した番組の関連番組を検出する関連番組検出手段と、前記関連番組検出手段によって検出された前記関連番組から、選択規則に基づいて録画予約候補番組を選択する選択手段と、前記録画予約候補番組の録画を含むメニューを提示する操作支援画面を表示する支援画面表示手段と、前記操作支援画面上で録画メニューが選択されると、前記再生が停止した番組の録画番組情報を前記記憶部から読み出し、該読み出した、再生が停止した番組の録画番組情報に基づいて前記録画予約候補番組の録画予約のための録画設定を行う録画予約設定手段と、を備え、前記録画番組情報は、番組を記録するフォルダ名を示す情報を具備し、前記録画予約設定手段は、前記録画番組情報に基づいて、前記再生が停止した番組が記憶されているフォルダと同じフォルダに前記録画予約候補番組が録画されるように、録画設定を行う。
【発明の効果】
【０００８】
本発明の記録再生装置によれば、関連番組検出手段によって検出された複数の関連番組から、選択手段が所定の選択規則に基づいて録画予約候補番組を選択し、操作支援画面生成手段が録画予約候補番組の情報を含むメニュー項目を提示する操作支援画面を生成し、支援画面表示手段が生成された操作支援画面を表示することで、録画予約候補番組の情報を含むメニュー項目を提示することができる。また、操作支援画面上で前記メニュー項目が選択されると、録画予約設定手段は録画番組の録画設定を用いて録画予約候補番組の録画予約を設定する。
【図面の簡単な説明】
【０００９】
【図１】本発明の実施形態に係る情報記録再生装置（番組再生装置）の概略構成を示すブロック図。
【図２】電子番組表情報を管理するための番組情報管理テーブルを示す図。
【図３】図２の番組情報管理テーブルに記憶された番組表情報に基づく番組表の一例を示す図。
【図４】録画済み番組の情報を管理するための録画番組情報テーブルを示す図。
【図５】録画処理の履歴情報を管理するための録画履歴テーブルを示す図。
【図６】モニターディスプレイに表示されるメニュー画面の一例を示す図。
【図７】録画済みの番組を除き、処理対象番組より後の放送回で、処理対象番組に近い放送回の番組から、予約候補番組を選択する処理のフローチャート。
【図８】保持リストＬ１の一例を示す図。
【図９】録画履歴のある番組を除き、処理対象番組より後の放送回の番組で、処理対象番組に近い放送回の番組から、予約候補番組を選択する処理のフローチャート。
【図１０】録画履歴リストＬ２の一例を示す図。
【図１１】処理対象番組と同じ時間帯に放送が予定されている番組を予約候補として選択する処理のフローチャート。
【図１２】放送予定が最も早い番組を予約候補として選択する処理のフローチャート。
【図１３】予約録画設定処理のフローチャート。
【図１４】予約登録画面の一例を示す図。
【発明を実施するための形態】
【００１０】
以下、図面を参照してこの発明の実施形態を説明する。
【００１１】
図１は、本発明の実施形態に係る情報記録再生装置（番組再生装置）の概略構成を示すブロック図である。
【００１２】
図１の記録再生装置は、マイクロコンピュータブロック３０、エンコーダ部５０、デコーダ部６０を備えている。
【００１３】
マイクロコンピュータブロック３０は、図示しないＭＰＵ（マイクロプロセッシングユニット）、またはＣＰＵ（セントラルプロセッシングユニット）を有し、記録再生装置の各ブロックの動作を制御する。マイクロコンピュータブロック３０は、制御プログラム等が書きこまれたＲＯＭ、プログラム実行に必要なワークエリアを提供するためのＲＡＭ等を備えている。
【００１４】
マイクロコンピュータブロック３０は、再生制御部３１１、記録制御部３１２、予約録画制御部３１３を有する。再生制御部３１１は、受信した放送番組データや記憶媒体に記憶された番組データの再生処理を制御する。記録制御部３１２は、番組データの記憶媒体への記録処理を制御する。予約録画制御部３１３は、番組の予約録画処理の制御を行う。また、マイクロコンピュータブロック３０は、後述する番組情報管理部３２１、録画番組情報管理部３２２、録画履歴管理部３２３、関連番組検出部３２４、操作支援画面生成部３２５、画面表示制御部３２６も備えている。このマイクロコンピュータブロック３０は、ネットワークインターフェース３０ａを介して外部ネットワークに接続することも可能である。
【００１５】
マイクロコンピュータブロック３０には、記憶再生装置を操作するための操作信号が、キー操作入力部４４から入力される。このキー操作入力部４４は、例えば記録再生装置の本体上に設けた操作スイッチ類、あるいはリモートコントローラ等である。有線通信、無線通信、光通信あるいは赤外線通信等によってこの記録再生装置に接続されるパーソナルコンピュータが、キー操作入力部４４として採用されてもよい。キー操作入力部４４は、決定キー、停止キー、終了キー、カーソルキーなど各種の操作キーを備えている。ユーザはこのキー操作入力部４４を操作して、受信もしくは入力された映像信号や音声信号の記録処理、記憶媒体に記憶されたコンテンツの再生処理、あるいは記憶媒体に記憶されたコンテンツに対する編集処理等の実行を指示することができる。
【００１６】
マイクロコンピュータブロック３０のＭＰＵ（またはＣＰＵ）の実行結果のうち、ユーザに通知すべき内容は、表示部４３に表示されるか、またはモニターディスプレイ３００１にＯＳＤ（オンスクリーンディスプレイ）表示される。
【００１７】
図１に示す情報記憶再生装置は、記憶媒体（情報記憶媒体）としてＤＶＤ−ＲＡＭ、ＤＶＤ±ＲＷ、ＤＶＤ±Ｒ、ＤＶＤ−ＲＯＭ（ＤＶＤビデオ）、ＣＤ−ＲＷ、ＣＤ−Ｒ、ＣＤ−ＲＯＭ（音楽ＣＤ）などの光ディスクとハードディスクの双方を取り扱うことができる。これらのハードディスクや光ディスクは、半導体メモリ等の他の記憶媒体と置換（あるいは併用）されてもよい。
【００１８】
この記録再生装置は、光ディスクドライブ部１００２と、ハードディスクドライブ部２００１の２種類のディスクドライブ部を有する。光ディスクドライブ部１００２は、光ディスク１００１に対する回転制御系、レーザ駆動系、光学系などを有し、光ディスク１００１を回転駆動して情報の読み書きを行う。またハードディスクドライブ部２００１は、ハードディスクを駆動し、情報の読み書きを実行する。
【００１９】
データプロセッサ部１００３は、バッファ回路、変調・復調回路、エラー訂正部等を備えており、所定の記録単位または再生単位のデータを取り扱う。データプロセッサ部１００３は、光ディスクドライブ部１００２及びハードディスクドライブ部２００１に記録データを供給する。また、データプロセッサ部１００３は、光ディスクドライブ部１００２及びハードディスクドライブ部２００１により読み出された再生データを受け取る。
【００２０】
データプロセッサ部１００３は、記憶媒体に記憶されている番組データを構成するビデオオブジェクトの一部を削除したり、異なる複数の番組のビデオオブジェクトをつなげたり、といった編集処理を、マイクロコンピュータブロック３０の指示に応じて行うこともできる。
【００２１】
エンコーダ部５０には、ＡＶ入力部４１ａからの外部アナログビデオ信号と外部アナログオーディオ信号、または地上波アナログチューナ４１ｂ、地上波デジタルチューナ４１ｃ、衛星デジタルチューナ４１ｄあるいは衛星アナログチューナ４１ｅからの放送受信信号（１つまたは複数）が選択的に入力する。スイッチ（信号セレクタ）５３は、マイクロコンピュータブロック３０の制御に従って、エンコーダ部５０に入力する信号系統を切り換える。
【００２２】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００２３】
また、エンコーダ部５０は、トランスポートストリーム処理部及び複数のＭＰＥＧエンコーダを含む。エンコーダ部５０に含まれるＭＰＥＧビデオエンコーダは、入力されるデジタルビデオ信号を、ＭＰＥＧ２またはＭＰＥＧ１規格に基づいた可変ビットレートで圧縮し、ハードディスクまたは光ディスクに記録可能なデジタルビデオ信号へ変換する。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２４】
エンコーダ部５０に、副映像信号がＡＶ入力部４１ａから入力した場合（例えば副映像信号の独立出力端子付ＤＶＤビデオプレーヤからの信号入力など）、あるいは副映像信号が含まれたＤＶＤビデオ信号が、地上波アナログチューナ４１ｂ、地上波デジタルチューナ４１ｃ、衛星デジタルチューナ４１ｄまたは衛星アナログチューナ４１ｅを介してエンコーダ部５０に入力された場合は、エンコーダ部５０に入力した副映像信号は副映像エンコーダでエンコード（ＤＶＤ規格に基づくランレングス符号化）されて副映像のビットマップデータとなる。
【００２５】
フォーマッタ５１は、バッファメモリ５２をワークメモリとして、エンコードされたデジタルビデオ信号、デジタルオーディオ信号、副映像データを所定のフォーマットに変換する。すなわち、フォーマッタ５１は、エンコードされたデジタルビデオ信号、デジタルオーディオ信号、副映像データをパック化して、ビデオパック、オーディオパック、副映像パックとし、さらにこれらを集合して、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換する。ただしデジタル放送のトランスポートストリーム（ＭＰＥＧ２−ＴＳ）をストリーム記録する場合には、フォーマット変換は必要ない。
【００２６】
なお、圧縮された（エンコード済みの）デジタルビデオ信号やデジタルオーディオ信号が、エンコーダ部５０に直接入力される場合は、エンコード処理を行わずに、入力信号を直接フォーマッタ５１に供給することもできる。また、エンコーダ部５０は、デジタル変換されたデジタルビデオ信号やデジタルオーディオ信号を、ビデオミキシング部７１やオーディオセレクタ７６に直接供給することもできる。
【００２７】
フォーマッタ５１によってフォーマット変換された情報（ビデオ、オーディオ、副映像データなどのパック）は、データプロセッサ部１００３を介してハードディスクドライブ部２００１および／または光ディスクドライブ部１００２に供給され、ハードディスクや光ディスク１００１等の記憶媒体に記録される。また、ハードディスクあるいは光ディスク１００１に記録された情報を、データプロセッサ部１００３、光ディスクドライブ部１００２を介して、光ディスク１００１あるいはハードディスクに記録することもできる。
【００２８】
記憶媒体に情報を記録する場合、フォーマッタ５１は、切り分け情報を作成して定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などが含まれる。
【００２９】
また、記憶媒体に情報を記録する際には、マイクロコンピュータブロック３０のＭＰＵは、当該記録される情報を再生するのに必要な管理情報を作成する。ＭＰＵは、記録終了のコマンドを認識すると、作成した管理情報をデータプロセッサ部１００３に送る。これにより、管理情報が記憶媒体に記録される。
【００３０】
記憶媒体に記憶された録画番組を途切れることなく再生するために、データプロセッサ部１００３がアクセス（シーク）する録画番組データの最低限連続する情報単位（サイズ）が予め決められている。この情報単位の記憶エリアをＣＤＡ（コンティギュアス・データ・エリア）という。ＣＤＡサイズは、ＥＣＣ（エラー訂正コード）ブロック（１６セクタ）の倍数であり、データの記憶はこのＣＤＡ単位で行われる。データプロセッサ部１００３は、エンコーダ部５０からＶＯＢＵ単位のデータを受け取り、ＣＤＡ単位のデータを光ディスクドライブ部１００２あるいはハードディスクドライブ部２００１に供給する。
【００３１】
エンコーダ部５０が、例えば２つのＭＰＥＧエンコーダを含む場合、エンコーダ部５０は２系統の信号をエンコード処理することが可能である。例えば、地上波アナログチューナ４１ｂで受信した番組をハードディスクドライブ部２００１でＤＶＤ−ＶＲ録画し、同時に、衛星アナログチューナ４１ｅで受信した番組を光ディスク１００１でＤＶＤ−ＶＲ録画するといった処理を行うことができる。
【００３２】
また、トランスポートストリームから抽出したパケットエレメンタリーストリームがエンコーダ部５０から直接ハードディスクドライブ部２００１のハードディスクに記録される場合もある。エンコーダ部５０が１つのＭＰＥＧエンコーダしか持たない場合でも、地上波デジタルチューナ４１ｃまたは衛星デジタルチューナ４１ｄを介してエンコーダ部５０に入力された番組データ（ＭＰＥＧ２−ＴＳ）をハードディスクドライブ部２００１でストリーム記録し、同時に、他のチューナを介して入力される放送番組データを、この１つのＭＰＥＧエンコーダによってエンコード処理することも可能である。
【００３３】
デコーダ部６０は、図示しないセパレータ、ビデオデコーダ、副映像デコーダ、オーディオデコーダ、ビデオプロセッサを備えている。セパレータは、パック構造を持つＤＶＤフォーマットの信号から各パックを分離して取り出す。ビデオデコーダは、セパレータによって分離された主映像データ（ビデオパックの内容）のデコード処理を行う。副映像デコーダは、セパレータによって分離された副映像データ（副映像パックの内容）のデコードを行う。セパレータによって分離されたオーディオデータ（オーディオパックの内容）はオーディオデコーダによってデコードされる。ビデオプロセッサは、デコードされた主映像にデコードされた副映像を適宜合成し、主映像にメニュー、ハイライトボタン、字幕やその他の副映像を重ねて出力する。デコーダ部６０はさらに、パック分離やその他の信号処理実行時に使用されるメモリを有する。
【００３４】
デコーダ部６０から出力されるビデオ信号は、ビデオミキシング部７１に入力される。ビデオミキシング部７１は、例えばテキストデータの合成を行う。またビデオミキシング部７１には、ＡＶ入力部４１aや地上波アナログチューナ４１ｂ、地上波デジタルチューナ４１ｃ、衛星デジタルチューナ４１ｄ、衛星アナログチューナ４１ｅからの信号を直接取り込むラインもまた接続されている。ビデオミキシング部７１には、バッファとして用いるフレームメモリ７２が接続されている。ビデオミキシング部７１から出力されるビデオ信号は、Ｉ／Ｆ（インタフェース）７３を介して外部出力される。あるいは、ビデオミキシング部７１から出力されるビデオ信号は、デジタルアナログ変換器７４によってアナログ変換され、モニターディスプレイ３００１に出力される。
【００３５】
デコーダ部６０から出力されるオーディオ信号は、セレクタ７６を介してデジタルアナログ変換器７７に入力する。デジタルアナログ変換器７７は、デジタルオーディオ信号をアナログ変換し、外部（例えばスピーカ）に出力する。セレクタ７６は、マイクロコンピュータブロック３０からのセレクト信号により制御され、チューナ４１ｂ〜４１ｅやＡＶ入力部４１aからのデジタル信号を直接モニタする時、エンコーダ部５０をスルーした信号を直接選択することも可能である。
【００３６】
なお、マイクロコンピュータブロック３０は、ＳＴＣ（システムタイムクロック）３８からの時間データに基づいて、光ディスクドライブ部１００２、ハードディスクドライブ部２００１、データプロセッサ部１００３、エンコーダ部５０、デコーダ部６０などを制御する。録画や再生の動作は、通常はＳＴＣ３８からのタイムクロックに同期して実行されるが、それ以外の処理はＳＴＣ３８とは独立したタイミングで実行されてもよい。
【００３７】
マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子ガイド情報／電子番組ガイド（ＥＰＧ）サービスを利用して、電子番組表情報（放送番組だけでなく種々な情報サービスも含む）を定期的、例えば毎時毎に取得することができる。また、ネットワーク２００を介して外部のサーバ２１０から電子番組案内情報（ＤＥＰＧ）を取り込むことも可能である。
【００３８】
取得された電子番組表情報は、番組情報管理部３２１によって管理される。番組情報管理部３２１は、マイクロコンピュータブロック３０が有するＲＯＭに、図２に示すような番組情報管理テーブルを設けて、電子番組表情報を管理する。図２の例では、放送番組ごとに「チャンネル」、「放送日」、「放送開始時刻」、「番組長」、「番組名」等のデータが記憶されている。また、ユーザが録画予約を行った番組には、「予約済み」属性が付与されている。番組情報管理部３２１は、毎日決まった時間、あるいは毎週決まった曜日の決まった時間に放送されるシリーズものの番組等、関連性のある番組については、「シリーズ名」等の関連性を示す情報も管理する。放送曜日や放送時間帯が異なっても、同じシリーズに属する番組には同じシリーズ名が付されている。番組情報管理部３２１は通常、所定期間（例えば１週間）分の電子番組表情報を管理する。番組名はシリーズ名と放送回、サブタイトル（再放送）等からなる。
【００３９】
図３は、図２の番組情報管理テーブルに記憶された番組表情報に基づく番組表の一例を示す図である。図３の番組表は、「ブジＴＶ」というチャンネル（放送局）における「２０：００〜２４：００」の時間帯の「１０／１５（日）」からの一週間分の放送予定を示している。
【００４０】
ハードディスクや光ディスク等の記憶媒体に記憶された番組（番組コンテンツ）の情報は、録画番組情報管理部３２２によって管理される。録画番組情報管理部３２２は、マイクロコンピュータブロック３０が有するＲＯＭに、図４に示すような録画番組情報テーブルを設けて、録画番組の情報を管理する。図４の例では、録画番組の「番組名」、「録画品質」、「録画長」、「チャンネル」、「録画日」、「録画開始時刻」、「視聴情報」、「シリーズ名」、「フォルダ名」等のデータが記憶されている。「フォルダ名」データは、当該録画番組がどのフォルダに記憶されているかを表す。図４は、ハードディスクに記憶された録画番組の情報を管理するための録画番組情報テーブルである。録画番組情報テーブルを記憶媒体ごとに設け、記憶媒体ごとに録画番組の情報を管理してもよいが、複数の記憶媒体に記憶された録画番組の情報を一つの録画番組情報テーブルに記憶し、一括して管理するようにしてもよい。
【００４１】
録画履歴管理部３２３は、記録制御部３１２によって行われた放送番組の録画処理の履歴を管理する。録画履歴管理部３２３は、マイクロコンピュータブロック３０が有するＲＯＭに、例えば図５に示すような録画履歴テーブルを設けて、録画処理の履歴情報を管理する。録画履歴テーブルには、記録制御部３１２が録画処理を行った放送番組の情報が記憶されている。図５の例では、録画された放送番組の「番組名」、「チャンネル」、「放送日」、「放送開始時刻」、「視聴情報」、「削除情報」、「シリーズ名」等のデータが記憶される。「削除情報」データは、当該放送番組が既に記憶媒体から削除されているか否かを表す。録画履歴テーブルには、上記各データに加えて、放送番組の「録画品質」、「録画長」、「録画先の記憶媒体名」、「録画先のフォルダ名」等のデータが記憶されていてもよい。
【００４２】
既に記憶媒体から削除されている放送番組の情報は、上述の録画番組情報テーブルからは削除されるが、この録画履歴テーブルからは削除されない。また、放送受信以外の方法（例えば他の記憶媒体からのコピー等）で記憶媒体に記憶された番組の情報は、録画履歴テーブルに記憶されるようにしてもよいが、録画履歴テーブルには記憶されず、録画番組情報テーブルのみに記憶されるようにしてもよい。
【００４３】
ハードディスク等の記憶媒体に記録されている録画番組の再生処理が停止すると、関連番組検出部３２４は、当該再生が停止した番組（処理対象番組）のシリーズ名に基づいて、この処理対象番組に関連する番組の情報を、番組情報管理テーブル（図２参照）及び録画番組情報テーブル（図４参照）から検出する。
【００４４】
操作支援画面生成部３２５は、関連番組検出部３２４が検出した関連番組情報に基づいて、ユーザが次に行う操作を支援するためのメニュー画面Ｄの画面データを生成する。
【００４５】
画面表示制御部３２６は、操作支援画面生成部３２５が生成したメニュー画面Ｄをモニターディスプレイ３００１に表示させる（図６参照）。メニュー画面Ｄには、「次の番組の再生」、「関連番組の録画予約」、「番組表へのジャンプ」、「処理対象番組をゴミ箱フォルダへ」等のメニュー項目が含まれる。
【００４６】
例えば「ブジＴＶ」というチャンネルで「１０／３（水）２２：００」から放送された「水１０のおんな＃２」という録画番組（処理対象番組）の再生が停止した場合には、関連番組検出部３２４は、「水１０のおんな＃２」と同じシリーズ名（水１０のおんな）の番組の検出を行う。録画番組情報テーブル（図４参照）からは「水１０のおんな＃２」に関連し、すでに記憶媒体に録画されている番組（同シリーズの「水１０のおんな＃３」）が検出され、番組情報管理テーブル（図２参照）からは「水１０のおんな＃２」に関連し、放送が予定されている番組（同シリーズの「水１０のおんな＃１（再放送）」、「水１０のおんな＃４」、「水１０のおんな＃５」）が検出される。
【００４７】
操作支援画面生成部３２５は、関連番組検出部３２４による検出結果に基づいてメニュー画面データを生成する。すなわち、操作支援画面生成部３２５は、上述の「次の番組の再生」項目として「“水１０のおんな＃３”を再生」というメニュー文言を、「関連番組の録画予約」項目として「“水１０のおんな＃４”を予約」というメニュー文言を、「番組表へのジャンプ」の項目として「“ブジＴＶ  水曜  ２１：００  水１０のおんな＃４”へジャンプ」という文言を、「処理対象番組をゴミ箱フォルダへ」の項目として「“水１０のおんな＃２”をゴミ箱へ」というメニュー文言を含むメニュー画面データを生成する。
【００４８】
ここで、「次の番組の再生」項目のメニュー文言には、録画番組情報テーブル（図４参照）から検出された関連番組の番組名が含まれる。関連番組検出部３２４が、録画番組情報管理テーブルから複数の関連番組を検出した場合には、所定の選択規則（例えば処理対象番組より後の放送回の番組が、放送回の順に選択される、あるいは、未視聴の録画番組から優先的に選択される、等）に従って選択された一つの関連番組の番組名が、メニュー文言に取り入れられる。
【００４９】
また、「番組表へのジャンプ」項目のメニュー文言には、番組情報管理テーブル（図２参照）から検出された関連番組の番組名が含まれる。関連番組検出部３２４が、番組情報テーブルから複数の関連番組を検出した場合には、所定の選択規則（例えば未録画の放送番組が、放送回の順に選択される、あるいは処理対象番組の録画時刻と近い時間帯に放送が予定されている関連番組を優先的に選択する、等）に従って選択された一つの関連番組の番組名が、メニュー文言に取り入れられる。
【００５０】
ここで、例えば上述の「水１０のおんな」シリーズの番組の場合、放送回は、番組名に含まれる“＃”の後の数字によって指定されているが、放送回の指定方法は、これに限られない。
【００５１】
画面表示制御部３２６は、操作支援画面生成部３２５が生成したメニュー画面データに基づいて、図６に示すようなメニュー画面Ｄをモニターディスプレイ３００１に表示させる。メニュー画面Ｄを初期表示する際に、所定の項目を強調表示するようにしてもよい。図６の例では、「関連番組の録画予約」項目が強調表示されている。
【００５２】
「関連番組の録画予約」項目のメニュー文言には、番組情報管理テーブル（図２参照）から検出された関連番組の番組名が含まれる。この関連番組（予約候補番組）は、再生が停止した処理対象番組と同じチャンネルから選択される。
【００５３】
関連番組検出部３２４が番組情報管理テーブルから検出した関連番組から、予約候補となる番組を選択する規則としては、以下のようなものが考えられる。
【００５４】
（ａ）処理対象番組より後の放送回の番組のうち、処理対象番組に近い放送回の番組を予約候補番組とする。
【００５５】
（ｂ）処理対象番組と同じ時間帯に放送が予定されている番組を予約候補番組とする。
【００５６】
（ｃ）放送予定が最も早い番組を予約候補番組とする。
【００５７】
選択規則（ａ）が採用される場合は、さらに以下のような場合が考えられる。
【００５８】
（ａ−１）記憶媒体に記憶されている番組は、予約候補から除外する。
【００５９】
（ａ−２）録画履歴のある番組は、予約候補から除外する。
【００６０】
操作支援画面生成部３２５は、これらの選択規則のうちいずれかを用いて、予約候補番組を選択し、選択された予約候補番組の番組名を「関連番組の録画予約」項目のメニュー文言に取り入れる。操作支援画面生成部３２５が、どの選択規則を用いるかは予め設定されていてもよいし、ユーザによって選択されてもよい。あるいはユーザの操作傾向に応じて決められてもよい。
【００６１】
次に、関連番組検出部３２４が番組情報管理テーブルから検出した関連番組から、予約候補となる番組を選択する処理について説明する。
【００６２】
（ａ−１）の場合
図７は、録画済みの番組を除き、処理対象番組より後の放送回で、処理対象番組に近い放送回の番組から、予約候補番組を選択する処理のフローチャートである。
【００６３】
録画番組の再生が停止して、予約候補選択処理が開始されると、関連番組検出部３２４は、再生停止した番組（処理対象番組）の「チャンネル」、「シリーズ名」等の情報を録画番組情報テーブル（図４参照）から取得する（ブロックＡ１１）。
【００６４】
続いて、関連番組検出部３２４は、取得した処理対象番組と同シリーズ名の録画番組を録画番組情報テーブルから検出し、検出された録画番組のリスト（保持リスト）Ｌ１を生成する（ブロックＡ１２）。
【００６５】
図８は、保持リストＬ１の一例を示す図である。図８の保持リストＬ１は、図４の録画番組情報テーブルから検出された、処理対象番組「水１０のおんな＃２」と同じシリーズ名（水１０のおんな）の番組のリストを示す。
【００６６】
次に、関連番組検出部３２４は、番組情報管理テーブルから、処理対象番組とチャンネルとシリーズ名が同じ番組（関連番組）を検出する（ブロックＡ１３）。例えば、図２に示す番組情報管理テーブルからは、処理対象番組「水１０のおんな＃２」と同じシリーズ名（水１０のおんな）の放送予定番組「水１０のおんな＃１（再放送）」、「水１０のおんな＃４」、及び「水１０のおんな＃５」が検出される。
【００６７】
続いて、関連番組検出部３２４は、番組情報管理テーブルから検出された関連番組のうち、保持リストＬ１に番組名が含まれていない番組があるか否かを判断する（ブロックＡ１４）。保持リストＬ１に含まれていない番組が検出されている場合は（ブロックＡ１４でＹＥＳ）、この保持リストＬ１に含まれていない番組で、処理対象番組より後の放送回の番組のうち、最も若い（処理対象番組に近い）放送回が予約候補となる（ブロックＡ１５）。
【００６８】
一方、番組情報管理テーブルから検出された番組全てが、保持リストＬ１に含まれている番組である場合は（ブロックＡ１４でＮＯ）、予約候補番組を設定せず（ブロックＡ１６）、処理が終了する。
【００６９】
予約候補番組が選択されると、操作支援画面生成部３２５は、当該予約候補番組の番組名を含んだ「関連番組の録画予約」項目のメニュー文言を有するメニュー画面データを生成する。画面表示制御部３２６は、操作支援画面生成部３２５が生成したメニュー画面データに基づいて、メニュー画面Ｄをモニターディスプレイ３００１に表示させる。予約候補番組が選択されなかった場合は、「関連番組の録画予約」のメニュー項目は表示されない。
【００７０】
上述の例では、ブロックＡ１３で番組情報管理テーブルから検出された「水１０のおんな＃１（再放送）」、「水１０のおんな＃４」、及び「水１０のおんな＃５」は、図８の保持リストＬ１に含まれていない。ブロックＡ１４では、これらの検出番組のうち、処理対象番組「水１０のおんな＃２」より後で、最も処理対象番組に近い放送回の「水１０のおんな＃４」が予約候補として選択される。従って、モニターディスプレイ３００１には図６に示すように「“水１０のおんな＃４”を予約」のメニュー項目が表示される。
【００７１】
このため、既に記憶媒体に記憶されている番組の予約操作をユーザに提示することを回避し、未録画の番組のみを予約候補としてユーザに提示することが可能となる。
【００７２】
（ａ−２）の場合
図９は、録画履歴のある番組を除き、処理対象番組より後の放送回の番組で、処理対象番組に近い放送回の番組から、予約候補番組を選択する処理のフローチャートである。
【００７３】
録画番組の再生が停止して、予約候補選択処理が開始されると、関連番組検出部３２４は、再生停止した番組（処理対象番組）の「チャンネル」、「シリーズ名」等の情報を録画番組情報テーブル（図４参照）から取得する（ブロックＡ２１）。
【００７４】
続いて、関連番組検出部３２４は、取得した処理対象番組と同シリーズ名の録画番組を録画履歴テーブル（図５参照）から検出し、検出された録画履歴がある番組のリスト（録画履歴リスト）Ｌ２を生成する（ブロックＡ２２）。
【００７５】
図１０は、録画履歴リストＬ２の一例を示す図である。図１０の録画履歴リストＬ２は、図５の録画履歴テーブルから検出された、処理対象番組「水１０のおんな＃２」と同じシリーズ名（水１０のおんな）の番組のリストである。
【００７６】
次に、関連番組検出部３２４は、番組情報管理テーブルから、処理対象番組とチャンネルとシリーズ名が同じ番組（関連番組）を検出する（ブロックＡ２３）。例えば、図２に示す番組情報管理テーブルからは、処理対象番組「水１０のおんな＃２」と同じシリーズ名（水１０のおんな）の放送予定番組「水１０のおんな＃１（再放送）」、「水１０のおんな＃４」、及び「水１０のおんな＃５」が検出される。
【００７７】
続いて、関連番組検出部３２４は、番組情報管理テーブルから検出された関連番組のうち、録画履歴リストＬ２に番組名が含まれていない番組があるか否かを判断する（ブロックＡ２４）。録画履歴リストＬ２に含まれていない番組が検出されている場合は（ブロックＡ２４でＹＥＳ）、この録画履歴リストＬ２に含まれていない番組で、処理対象番組より後の放送回の番組のうち、最も若い（処理対象番組に近い）放送回が予約候補となる（ブロックＡ２５）。
【００７８】
一方、番組情報管理テーブルから検出された番組全てが、録画履歴リストＬ２に含まれている番組である場合は（ブロックＡ２４でＮＯ）、予約候補番組を設定せず（ブロックＡ２６）、処理が終了する。
【００７９】
予約候補番組が選択されると、操作支援画面生成部３２５は、当該予約候補番組の番組名を含んだ「関連番組の録画予約」項目のメニュー文言を有するメニュー画面データを生成する。画面表示制御部３２６は、操作支援画面生成部３２５が生成したメニュー画面データに基づいて、メニュー画面Ｄをモニターディスプレイ３００１に表示させる。予約候補番組が選択されなかった場合は、「関連番組の録画予約」のメニュー項目は表示されない。
【００８０】
上述の例では、ブロックＡ２３で番組情報管理テーブルから検出された「水１０のおんな＃４」、及び「水１０のおんな＃５」が、図１０の録画履歴リストＬ２に含まれていない。ブロックＡ２４では、これらの検出番組のうち、処理対象番組「水１０のおんな＃２」より後で、最も処理対象番組に近い放送回の「水１０のおんな＃４」が予約候補として選択される。従って、モニターディスプレイ３００１には図６に示すように「“水１０のおんな＃４”を予約」が表示される。
【００８１】
このため、既に一度は記憶媒体に記憶を行った番組の予約操作をユーザに提示することが回避され、録画履歴のない番組のみを予約候補としてユーザに提示することが可能となる。
【００８２】
（ｂ）の場合
図１１は、処理対象番組と同じ時間帯に放送が予定されている番組を予約候補として選択する処理のフローチャートである。
【００８３】
録画番組の再生が停止して、予約候補選択処理が開始されると、関連番組検出部３２４は、再生停止した番組（処理対象番組）の「チャンネル」、「開始時刻」、「シリーズ名」等の情報を録画番組情報テーブル（図４参照）から取得する（ブロックＢ１）。
【００８４】
次に、関連番組検出部３２４は、番組情報管理テーブルから、処理対象番組とチャンネルとシリーズ名が同じ番組（関連番組）を検出する（ブロックＢ２）。例えば、図２に示す番組情報管理テーブルからは、処理対象番組「水１０のおんな＃２」と同じシリーズ名（水１０のおんな）の放送予定番組「水１０のおんな＃１（再放送）」、「水１０のおんな＃４」、及び「水１０のおんな＃５」が検出される。
【００８５】
続いて、関連番組検出部３２４は、番組情報管理テーブルから検出された関連番組のうち、処理対象番組と同時間帯に放送される番組が検出されたか否かを判断する（ブロックＢ３）。同時間帯に放送される番組が検出されている場合は（ブロックＢ３でＹＥＳ）、この同時間帯に放送される番組のうち最も早く放送が予定されている番組が予約候補番組として選択される（ブロックＢ４）。
【００８６】
一方、番組情報管理テーブルから検出された番組全ての放送開始が、処理対象番組とは異なる時間帯に予定されている場合は（ブロックＢ３でＮＯ）、予約候補番組を設定せず（ブロックＢ５）、処理が終了する。
【００８７】
予約候補番組が選択されると、操作支援画面生成部３２５は、当該予約候補番組の番組名を含んだ「関連番組の録画予約」項目のメニュー文言を有するメニュー画面データを生成する。画面表示制御部３２６は、操作支援画面生成部３２５が生成したメニュー画面データに基づいて、メニュー画面Ｄをモニターディスプレイ３００１に表示させる。予約候補番組が選択されなかった場合は、「関連番組の録画予約」のメニュー項目は表示されない。
【００８８】
上述の例では、ブロックＢ２で番組情報管理テーブルから検出された「水１０のおんな＃１（再放送）」、「水１０のおんな＃４」、及び「水１０のおんな＃５」のうち、処理対象番組「水１０のおんな＃２」と同じ時間帯（２２：００〜２３：００）「水１０のおんな＃５」が予約候補として選択される。従って、モニターディスプレイ３００１には、「関連番組の録画予約」のメニュー項目として、「“水１０のおんな＃５”を予約」というメニュー文言が表示される。
【００８９】
同じ番組シリーズの再放送を、所定の期間内に何度も行うような番組編成がなされた場合でも、放送回の連続性は放送時間帯ごとに保たれることが多い。従って、同じ放送時間帯の番組のみを予約候補としてユーザに提示することで、シリーズとしての確からしさを確保することができる。
【００９０】
また、上述の例では、１時間を時間帯の単位としているが、時間帯の設定の仕方は、これに限られない。
【００９１】
（ｃ）の場合
図１２は、放送予定が最も早い番組を予約候補として選択する処理のフローチャートである。
【００９２】
録画番組の再生が停止して、予約候補選択処理が開始されると、関連番組検出部３２４は、再生停止した番組（処理対象番組）の「チャンネル」、「シリーズ名」等の情報を録画番組情報テーブル（図４参照）から取得する（ブロックＣ１）。
【００９３】
次に、関連番組検出部３２４は、番組情報管理テーブルから、処理対象番組とチャンネルとシリーズ名が同じ番組（関連番組）を検出する（ブロックＣ２）。例えば、図２に示す番組情報管理テーブルからは、処理対象番組「水１０のおんな＃２」と同じシリーズ名（水１０のおんな）の放送予定番組「水１０のおんな＃１（再放送）」、「水１０のおんな＃４」、及び「水１０のおんな＃５」が検出される。
【００９４】
関連番組検出部３２４が、番組情報管理テーブルから関連番組を検出すると（ブロックＣ３でＹＥＳ）、検出された番組のうち最も早く放送が予定されている番組が予約候補番組として選択される（ブロックＣ４）。
【００９５】
一方、番組情報管理テーブルから関連番組が検出されない場合は（ブロックＣ３でＮＯ）、予約候補番組を設定せず（ブロックＣ５）、処理が終了する。
【００９６】
予約候補番組が選択されると、操作支援画面生成部３２５は、当該予約候補番組の番組名を含んだ「関連番組の録画予約」項目のメニュー文言を有するメニュー画面データを生成する。画面表示制御部３２６は、操作支援画面生成部３２５が生成したメニュー画面データに基づいて、メニュー画面Ｄをモニターディスプレイ３００１に表示させる。予約候補番組が選択されなかった場合は、「関連番組の録画予約」のメニュー項目は表示されない。
【００９７】
上述の例では、ブロックＣ２で番組情報管理テーブルから検出された「水１０のおんな＃１（再放送）」、「水１０のおんな＃４」、及び「水１０のおんな＃５」のうち、最も早く放送される「水１０のおんな＃１」が予約候補として選択される。このため、モニターディスプレイ３００１には、「関連番組の録画予約」のメニュー項目として、「“水１０のおんな＃１”を予約」というメニュー文言が表示される。
【００９８】
従って、例えば図５の録画履歴テーブルに示すように、一度録画した「水１０のおんな＃１」を削除してしまったユーザに対して、「水１０のおんな＃１」の再放送が予定されていることを気付かせることができる。あるいは、ユーザが何らかの理由により以前に放送された「水１０のおんな＃１」の録画に失敗しているような場合でも、「水１０のおんな＃１」の再放送が予定されていることをユーザに気付かせることができる。
【００９９】
以上述べたように、図７、図９、図１１、または図１２のいずれかのフローチャートによる予約候補選択処理によって予約候補が選択され、この選択に応じたメニュー画面Ｄがモニターディスプレイ３００１に表示される。操作支援画面生成部３２５が、どの予約候補選択処理を用いるかは予め設定されていてもよいし、ユーザによって選択されてもよい。あるいはユーザの操作傾向に応じて決められてもよい。
【０１００】
モニターディスプレイ３００１にメニュー画面Ｄが表示されると、ユーザは、キー操作入力部４４を操作して、メニュー画面Ｄに含まれるいずれかのメニュー項目を選択することができる。
【０１０１】
次に、ユーザがいずれかのメニュー項目を選択した場合に行われる記録再生装置の動作について説明する。
【０１０２】
ユーザが、「次の番組の再生」項目（図６の例では「“水１０のおんな＃３”を再生」）を選択した場合、再生制御部３１１は、選択された番組の再生処理を行う。また、「番組表へのジャンプ」のメニュー項目（図６の例では「“ブジＴＶ  水曜  ２１：００  水１０のおんな＃４”へジャンプ」）が選択された場合には、選択された番組を含む電子番組表がモニターディスプレイ３００１に表示される。「処理対象番組をゴミ箱フォルダへ」の項目（図６の例では「“水１０のおんな＃２”をゴミ箱へ」）が選択された場合には、記録制御部３１２は、当該再生停止した番組のデータを所定のゴミ箱フォルダに移動する。
【０１０３】
また、ユーザが「関連番組の録画予約」のメニュー項目（図６の例では「“水１０のおんな＃４”を予約」）を選択した場合には、予約録画制御部３１３が、選択された番組の録画予約処理を行う。
【０１０４】
図１３は、予約録画制御部３１３が行う予約録画設定処理のフローチャートである。
【０１０５】
ユーザが「関連番組の録画予約」のメニュー項目を選択し、予約録画設定処理が開始すると、予約録画制御部３１３は、録画番組情報テーブルから、再生が停止された録画番組（処理対象番組）の「録画品質」データを取得する（ブロックＤ１）。次に、予約録画制御部３１３は、当該処理対象番組が記憶されているフォルダの「フォルダ名」データも、録画番組情報テーブルから取得する（ブロックＤ２）。予約録画制御部３１３は、取得されたデータを、選択された関連番組の予約録画設定値として設定する（ブロックＤ３）。
【０１０６】
画面表示制御部３２６は、予約録画設定処理による設定に基づく予約登録画面をモニターディスプレイ３００１に表示させる。
【０１０７】
図１４は、予約登録画面の一例を示す図である。図１４の例は、図６のメニュー画面Ｄから「“水１０のおんな＃４”を予約」が選択され、「水１０のおんな＃４」の録画予約が指示された場合に、モニターディスプレイ３００１に表示される予約登録画面を示す。
【０１０８】
図１４に示すように、「水１０のおんな＃４」の録画品質設定として、ブロックＤ１で取得された処理対象番組「水１０のおんな＃２」の録画品質設定「ＳＰモード」が、「水１おのおんな＃４」の記録先フォルダ設定として、ブロックＤ２で取得された「水１０のおんな＃２」の記録先フォルダ「水１０のおんな用」が引き継がれている。
【０１０９】
ユーザは画面右下の「登録実行」ボタンを押すだけで、処理対象番組と同じ設定で、予約候補番組の録画予約を行うことができる。このため、ユーザは、関連番組を予約録画するための煩雑な設定操作をいちいち行う必要がない。
【０１１０】
以上説明したように、本実施形態によれば、記憶媒体に記憶されている録画番組（処理対象番組）の再生が停止すると、図６に示すようなメニュー画面Ｄがモニターディスプレイ３００１に表示される。メニュー画面Ｄに含まれるメニュー項目のうち、「関連番組の録画予約」の項目に対応するメニュー文言には、番組情報管理テーブルから検出された関連番組のうち、予約候補番組として選択された番組名が取り入れられる。このとき、予約候補となる番組を選択する規則としては、以下のようなものが考えられる。
【０１１１】
（ａ）処理対象番組より後の放送回の番組のうち、処理対象番組に近い放送回の番組を予約候補番組とする。
【０１１２】
（ａ−１）記憶媒体に記憶されている番組は、予約候補から除外する。
【０１１３】
（ａ−２）録画履歴のある番組は、予約候補から除外する。
【０１１４】
（ｂ）処理対象番組と同じ時間帯に放送が予定されている番組を予約候補番組とする。
【０１１５】
（ｃ）放送予定が最も早い番組を予約候補番組とする。
【０１１６】
どの選択規則を用いるかは、予め定められていてもよいし、ユーザによって選択されてもよい。あるいは、ユーザの操作傾向に応じて決定されてもよい。
【０１１７】
メニュー画面Ｄの表示によって、ユーザに適した関連番組の録画予約操作を提示することができる。
【０１１８】
さらに、ユーザがメニュー画面Ｄ上で上述の「関連番組の録画予約」のメニュー項目を選択すると、図１３の予約録画処理が行われ、処理対象番組の録画設定を、予約候補として選択された番組の録画設定に引き継ぐことができる。
【０１１９】
また、上述の説明では、シリーズ名が同じ番組を関連する番組であるとしたが、関連性は、シリーズ名以外の属性によって判断されてもよい。例えば、番組情報管理部３２１が管理する番組情報管理テーブルに番組ごとの「ジャンル」、「出演者」等の情報が記憶されているような場合は、これらの「ジャンル」、「出演者」情報等に基づいて、関連性が判断されてもよい。
【０１２０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１２１】
１００１…光ディスク、１００２…光ディスクドライブ部、１００３…データプロセッサ部、２００１…ハードディスクドライブ部、３０…マイクロコンピュータブロック、４１ａ…ＡＶ入力部、４１ｂ…地上波アナログチューナ、４１ｃ…地上波デジタルチューナ、４１ｄ…衛星デジタルチューナ、４１ｅ…衛星アナログチューナ、５０…エンコーダ部、６０…デコーダ部、３１１…再生制御部、３１２…記録制御部、３１３…予約録画制御部、３２１…番組情報管理部、３２２…録画番組情報管理部、３２３…録画履歴管理部、３２４…関連番組検出部、３２５…操作支援画面生成部、３２６…画面表示制御部、３００１…モニターディスプレイ。
【図１】
0005422679.tif 000002
【図２】
0005422679.tif 000003
【図３】
0005422679.tif 000004
【図４】
0005422679.tif 000005
【図５】
0005422679.tif 000006
【図６】
0005422679.tif 000007
【図７】
0005422679.tif 000008
【図８】
0005422679.tif 000009
【図９】
0005422679.tif 000010
【図１０】
0005422679.tif 000011
【図１１】
0005422679.tif 000012
【図１２】
0005422679.tif 000013
【図１３】
0005422679.tif 000014
【図１４】
0005422679.tif 000015